(57)【要約】【課題】湾曲形反射面を有する照明器具本体と内側反射板とを備えた照明器具を梱包したとき、照明器具本体内での内側反射板の横移動を規制する。【解決手段】湾曲形反射面１２ｂを有する照明器具本体１２と、内側反射板１３と、一端側が内側反射板１３の反射面１３ｂに当接して他端側に湾曲形反射面１２ｂに当接した折曲片１４ｄを有する一対の第一緩衝片１４ａ、内側反射板１３と照明器具本体１２との間に挟まれて位置付けされた一つの第二緩衝片１４ｂ、第二緩衝片１４ｂの一端側と一方の第一緩衝片１４ａとを連結して内側反射板１３のそれぞれ一方の横幅方向の縁部１３ｃを保持する一対の第三緩衝片１４ｃを備える梱包用緩衝体１４とを梱包ケース１１内に収納する。折曲片１４ｄの湾曲形反射面１２ｂへの当接は、面接触又は少なくとも二点での線接触となるため、その当接部分での滑りが発生しにくく、内側反射板１３の横移動を有効に規制できる。【選択図】　　　　図１
2004051184.tif 000002
【特許請求の範囲】
【請求項１】
下面に開口が形成され、この開口の上方に位置するアール面形状の湾曲形反射面が横幅方向の両側に形成された照明器具本体と；
断面形状が略Ｖ字形に形成され、前記照明器具本体内にＶ字形頂点部が前記開口側となるように取付け可能な内側反射板と；
前記照明器具本体と前記内側反射面とを前記照明器具本体への前記内側反射板の取付時と同じ向きに位置付けして収納可能な梱包ケースと；
一枚の折り曲げ可能な板状紙材から形成されて前記梱包ケース内に収納された前記照明器具本体と前記内側反射板との間に介装され、一端側が前記内側反射板の反射面に当接されて他端側に前記湾曲形反射面に当接された折曲片を有する一対の第一緩衝片、及び、前記内側反射板と前記照明器具本体との間に挟まれて位置付けされた一つの第二緩衝片、及び、前記第二緩衝片の一端側と一方の前記第一緩衝片とを連結して前記内側反射板のそれぞれ一方の横幅方向の縁部を保持する一対の第三緩衝片を備えた梱包用緩衝体と；
を具備する包装体。
【発明の詳細な説明】
【０００１】
【発明の属する技術分野】本発明は、照明器具本体と内側反射板とを梱包用緩衝体と共に梱包ケース内に収納して梱包した包装体に関する。
【０００２】
【従来の技術】従来、照明器具本体と内側反射板とを有する照明器具を出荷する場合には、これらの照明器具本体と内側反射板とを梱包用緩衝体と共に梱包ケース内に収納して梱包することが一般的である。梱包ケースや梱包用緩衝体は、段ボール紙などの板状紙材により形成されている。
【０００３】
照明器具本体と内側反射板とを梱包用緩衝体と共に梱包ケース内に収納して梱包した包装体の一例を図４及び図５に基づいて説明する。図４は従来例の包装体を示す断面図、図２はその一部を構成する梱包用緩衝体を示す展開図である。
【０００４】
この包装体は、段ボール紙で形成された梱包ケース１、梱包ケース１内に収納された照明器具本体２、内側反射板３、梱包用緩衝体４等により構成されている。
【０００５】
梱包ケース１は一枚の段ボール紙を折り曲げることにより形成され、照明器具本体２や内側反射板３を収納して閉止した状態において、その外周形状が直方体となるように形成されている。
【０００６】
照明器具本体２は天井面などに取付けて使用される長尺形状の部材であり、天井面などへの取付時に天井側に位置する面である天井側反射面２ａと、天井側反射面２ａの横幅方向（長手方向と直交する方向）の端部から下向きに鈍角に屈曲した一対の側部反射面２ｂとを有し、側部反射面２ｂの下端側には天井側反射面２ａと平行に対向する開口２ｃが形成されている。
【０００７】
内側反射板３は断面形状が略Ｖ字形に形成された長尺形状の部材であり、天井面などに取付けられた照明器具本体２内にＶ字形頂点部３ａが下向き（開口２ｃ側）となるように取付けられる。梱包ケース１内に収納された照明器具本体２と内側反射板３とは、照明器具本体２への内側反射板３の取付時と同じ向きに位置付けされ、これらの照明器具本体２と内側反射板３との間における長手方向の両端側に梱包用緩衝体４が一つずつ介装されている。
【０００８】
梱包用緩衝体４は、図５に示した一枚の折り曲げ可能な段ボール紙により形成され、実線で示した部分に切れ込みが入れられ、破線Ａ、Ｂ、Ｃで示した部分から折り曲げられている。図５に示した破線Ａ、Ｂ、Ｃの部分が、図４に示した折曲部Ａ、Ｂ、Ｃに対応する。
【０００９】
照明器具本体２と内側反射板３との間に介装された梱包用緩衝体４は、折曲部Ｃに内側反射板３の横幅方向両側に形成されたフランジ３ｂの先端部が当接され、折曲片４ａと折曲片４ｂとで内側反射板３のフランジ３ｂを挟持している。さらに、折曲片４ａの端部が、照明器具本体２の側部反射面２ｂに当接されている。
【００１０】
ここで、照明器具本体２及び内側反射板３の横幅方向の両側において、内側反射板３のフランジ３ｂの先端部が折曲部Ｃに当接されるとともにこのフランジ３ｂが折曲片４ａと折曲片４ｂとにより挟持され、さらに、折曲片４ａの端部が照明器具本体２の側部反射面２ｂに当接されることにより、梱包ケース１内に収納された内側反射板３は、照明器具本体２内で横移動（照明器具本体２の長手方向と直交する方向である矢印Ｘ方向の移動）が規制され、そのような横移動が原因となる照明器具本体２と内側反射板３との擦れ傷の発生が防止される。
【００１１】
【発明が解決しようとする課題】しかし近年では、天井面に取付けられた照明器具に対向する床面等の照明性能を高めるため、例えば、照明器具により照明される床面等の照度を照明器具からの距離が離れるについて滑らかに低下させるため、照明器具本体の開口の上方に位置する反射面を、アール面形状の湾曲形反射面とした照明器具本体が増えている。
【００１２】
湾曲形反射面を有する照明器具本体を内側反射板と共に梱包ケース内に収納する場合、上述した構造の梱包用緩衝体４を用いると、折曲片４ａの端部が湾曲形反射面に当接することになる。しかし、この当接箇所は線接触となるために滑り易く、包装体の搬送時における衝撃によって内側反射板が照明器具本体内で横移動しやすくなり、その横移動により照明器具本体２と内側反射板３とに擦れ傷が発生しやすくなる。
【００１３】
本発明の目的は、開口の上方に位置するアール面形状の湾曲形反射面が形成された照明器具本体と内側反射板とを梱包用緩衝体を介装して梱包ケース内に収納して梱包したときに、照明器具本体内で内側反射板が横移動することを規制できるようにした包装体を提供することである。
【００１４】
【課題を解決するための手段】請求項１記載の発明の包装体は、下面に開口が形成され、この開口の上方に位置するアール面形状の湾曲形反射面が横幅方向の両側に形成された照明器具本体と；断面形状が略Ｖ字形に形成され、前記照明器具本体内にＶ字形頂点部が前記開口側となるように取付け可能な内側反射板と；前記照明器具本体と前記内側反射面とを前記照明器具本体への前記内側反射板の取付時と同じ向きに位置付けして収納可能な梱包ケースと；一枚の折り曲げ可能な板状紙材から形成されて前記梱包ケース内に収納された前記照明器具本体と前記内側反射板との間に介装され、一端側が前記内側反射板の反射面に当接されて他端側に前記湾曲形反射面に当接された折曲片を有する一対の第一緩衝片、及び、前記内側反射板と前記照明器具本体との間に挟まれて位置付けされた一つの第二緩衝片、及び、前記第二緩衝片の一端側と一方の前記第一緩衝片とを連結して前記内側反射板のそれぞれ一方の横幅方向の縁部を保持する一対の第三緩衝片を備えた梱包用緩衝体と；を具備する。
【００１５】
したがって、照明器具本体と内側反射板とをその間に梱包用緩衝体を介装して梱包ケース内に収納して梱包した場合、照明器具本体及び内側反射板の横幅方向の両側において、第三緩衝片により内側反射板の横幅方向の縁部が保持され、かつ、梱包用緩衝体の第一緩衝片の一端側が内側反射板の反射面に当接されるとともに第一緩衝片の他端側に設けられた折曲片が照明器具本体の湾曲形反射面に当接されるので、内側反射板が照明器具本体内で横移動する場合には、梱包用緩衝体も一体に横移動することになる。ここで、それぞれの折曲片の湾曲形反射面への当接は、面接触又は少なくとも湾曲型反射面の湾曲方向に沿った二点での線接触となるため、その当接部分での滑りが発生しにくくなり、内側反射板の横移動が規制される。
【００１６】
本発明において、照明器具本体の横幅方向、内側反射板の横幅方向とは、照明器具本体及び内側反射板の長手方向と直交する方向を意味し、内側反射板の横移動とは、内側反射板が横幅方向に移動することを意味する。
【００１７】
ここで、梱包用緩衝体は照明器具本体の長手方向両端側に少なくとも一つずつ介装することが望ましい。ただし、照明器具本体の長手方向の寸法が小さい場合、梱包用緩衝体の幅寸法（照明器具本体及び内側反射板の長手方向に沿った方向の寸法）を大きくした場合等には、照明器具本体の長手方向の略中央部に一つだけ介装する構成としてもよい。
【００１８】
第一緩衝片の一端側の反射面への当接位置については、反射面のどの部分であってもよいが、内側反射板のＶ字形頂点部の近傍であることが好ましい。第一緩衝片の一端側の反射面への当接位置をＶ字形頂点部の近傍とすることにより、内側反射板が強い衝撃を受けて横移動を始めたとき、いずれか一方の第一緩衝片の一端側が梱包ケースの内周面に当接するので、その横移動を小さい範囲に規制することができる。
【００１９】
【発明の実施の形態】本発明の一実施の形態を図１ないし図３に基づいて説明する。図１は包装体を示す断面図、図２は包装体の一部を破断して示す斜視図、図３は包装体の一部を構成する梱包用緩衝体を示す展開図である。
【００２０】
この包装体の基本的構成は図４及び図５に示した包装体と同じであり、段ボール紙で形成された梱包ケース１１、梱包ケース１１内に収納された照明器具本体１２、内側反射板１３、梱包用緩衝体１４等により構成されている。
【００２１】
梱包ケース１１は一枚の段ボール紙を折り曲げることにより形成され、照明器具本体１２や内側反射板１３を収納して閉止した状態において、その外周形状が直方体となるように形成されている。
【００２２】
照明器具本体１２は天井面などに取付けて使用される長尺形状の部材であり、天井面などへの取付時に下側となる箇所に開口１２ａが形成され、この開口１２ａの上方にはアール面形状の湾曲形反射面１２ｂが横幅方向（照明器具本体１２の長手方向と直交する方向）の両側に設けられている。
【００２３】
内側反射板１３は断面形状が略Ｖ字形に形成された長尺形状の部材であり、天井面などに取付けられた照明器具本体１２内にＶ字形頂点部１３ａが下向き（開口１２ａ側）となるように取付けられる。また、Ｖ字形頂点部１３ａを挟んで位置する横幅方向（内側反射板１３の長手方向と直交する方向）の両側には、反射面１３ｂと、横幅方向の縁部であるフランジ１３ｃとが設けられている。
【００２４】
梱包ケース１１内に収納された照明器具本体１２と内側反射板１３とは、照明器具本体１２への内側反射板１３の取付時と同じ向きに位置付けされ、これらの照明器具本体１２と内側反射板１３との間における長手方向の両端側に梱包用緩衝体１４が一つずつ介装されている。
【００２５】
梱包用緩衝体１４は、図３に示した一枚の折り曲げ可能な段ボール紙により形成され、実線で示した部分に切れ込みが入れられ、破線ａ、ｂ、ｃ、ｄで示した部分から折り曲げられている。図３に示した破線ａ、ｂ、ｃ、ｄの部分が、図１に示した折曲部ａ、ｂ、ｃ、ｄに対応する。梱包用緩衝体１４は、折曲部ｂ、ｃで折り曲げることにより、一対の第一緩衝片１４ａと、一つの第二緩衝片１４ｂと、一対の第三緩衝片１４ｃとが形成されている。また、第一緩衝片１４ａにおいては、折曲部ｄで折り曲げることにより、折曲片１４ｄが形成されている。
【００２６】
梱包用緩衝体１４が照明器具本体１２及び内側反射板１３と共に梱包ケース１１内に収納された梱包状態において、第一緩衝片１４ａ、第二緩衝片１４ｂ、第三緩衝片１４ｃはそれぞれ以下に説明するように位置付けされている。第一緩衝片１４ａは、その一端側が反射面１３ｂにおけるＶ字形頂点部１３ａの近傍に当接され、折曲片１４ｄが湾曲形反射面１２ｂに当接されている。第二緩衝片１４ｂは、照明器具本体１２と内側反射板１３との間に挟まれて位置付けされ、照明器具本体１２と内側反射板１３とが接触することを規制している。第三緩衝片１４ｃは、第一緩衝片１４ａと第二緩衝片１４ｂとを連結するとともに先端部が折曲部ｂに当接されたフランジ１３ｃを保持している。
【００２７】
このような構成において、図１に示すように、照明器具本体１２と内側反射板１３とをその間に梱包用緩衝体１４を介装して梱包ケース１１内に収納して梱包した場合、照明器具本体１２及び内側反射板１３の横幅方向の両側において、内側反射板１３のフランジ１３ｃが第三緩衝片１４ｃにより保持され、かつ、第一緩衝片１４ａの一端側が内側反射板１３の反射面１３ｂに当接されるとともに第一緩衝片１４ａの他端側に設けられた折曲片１４ｄが照明器具本体１２の湾曲形反射面１２ｂに当接されるので、内側反射板１３が照明器具本体１２内で横移動する場合には、梱包用緩衝体１４も一体に横移動することになる。ここで、それぞれの折曲片１４ｄの湾曲形反射面１２ｂへの当接は、面接触又は湾曲方向に沿った少なくとも二点での線接触となるため、その当接部分での滑りが発生しにくくなり、内側反射板１３の横移動が規制される。これにより、内側反射板１３が照明器具本体１２内で横移動することが原因となる内側反射板１３や照明器具本体１２の擦れ傷の発生を防止できる。
【００２８】
さらに、第一緩衝片１４ａの一端側の反射面１３ｂへの当接位置がＶ字形頂点部１３ａの近傍であるので、内側反射板１４に強い衝撃が加えられて横移動を始めたとき、いずれか一方の第一緩衝片１４ａの一端側が梱包ケース１１の内周面に当接し、その横移動を小さい範囲に規制することができる。
【００２９】
【発明の効果】
請求項１記載の発明の包装体によれば、照明器具本体と内側反射板とをその間に梱包用緩衝体を介装して梱包ケース内に収納して梱包した場合、照明器具本体及び内側反射板の横幅方向の両側において、梱包用緩衝体の第三緩衝片により内側反射板の横幅方向の縁部が保持され、かつ、梱包用緩衝体の第一緩衝片の一端側が内側反射板の反射面に当接されるとともに第一緩衝片の他端側に設けられた折曲片が照明器具本体の湾曲形反射面に当接され、折曲片の湾曲形反射面への当接が、面接触又は少なくとも湾曲型反射面の湾曲方向に沿った二点での線接触となるためにその当接部分での滑りが発生しにくくなり、内側反射板の横移動を有効に規制することができ、その横移動が原因となる照明器具本体や内側反射板の擦れ傷の発生を防止できる。
【図面の簡単な説明】
【図１】本発明の一実施の形態の包装体を示す断面図である。
【図２】その包装体の一部を破断して示す斜視図である。
【図３】その一部を構成する梱包用緩衝体を示す展開図である。
【図４】従来例の包装体を示す断面図である。
【図５】その一部を構成する梱包用緩衝体を示す展開図である。
【符号の説明】
１１：梱包ケース、１２：照明器具本体、１２ａ：開口、１２ｂ：湾曲形反射面、１３：内側反射板、１３ａ：Ｖ字形頂点部、１３ｂ：反射面、１３ｃ：縁部、１４：梱包用緩衝体、１４ａ：第一緩衝片、１４ｂ：第二緩衝片、１４ｃ：第三緩衝片、１４ｄ：折曲片
【図１】
2004051184.tif 000003
【図２】
2004051184.tif 000004
【図３】
2004051184.tif 000005
【図４】
2004051184.tif 000006
【図５】
2004051184.tif 000007